(57)【特許請求の範囲】
【請求項１】
複数の太陽電池パネルを備えた太陽電池付屋根であって、
前記太陽電池パネルは、支持レールと他の支持レールとで支持され、
前記支持レールは、傾斜方向の異なる一対の屋根面が交差して形成された谷部に沿って取り付けられる脚部と、前記太陽電池パネルの前記谷部側の端縁を支持する支持部とを備え、
前記他の支持レールは、前記屋根面の傾斜方向に沿って設けられ、
前記太陽電池パネルは、前記谷部に沿って前記支持部に固定される谷枠と、前記他の支持レールに固定される傾斜枠とを備え、
前記支持レールは、上方に開口した第１樋部を有し、前記他の支持レールは、上方に開口した第２樋部を有し、
前記第１樋部の内面には、前記谷枠の脚部が固定され、
前記第２樋部には、前記傾斜枠の脚部が固定され、
前記第２樋部の下流側端部が前記第１樋部の内側に突出することで、前記第１樋部と前記第２樋部とが連通して設けられていることを特徴とする太陽電池付屋根。
【請求項２】
請求項１に記載の太陽電池付屋根において、前記他の支持レールが前記一対の屋根面の両方にそれぞれ設けられていることを特徴とする太陽電池付屋根。
【請求項３】
請求項１または請求項２に記載の太陽電池付屋根において、前記他の支持レールが前記谷部を挟んで互いに対応した位置に対になって設けられていることを特徴とする太陽電池付屋根。
【請求項４】
請求項１ないし請求項３のいずれかに記載の太陽電池付屋根において、前記第１樋部の底面は、前記太陽電池パネルの上面よりも低い高さ位置に位置していることを特徴とする太陽電池付屋根。
【請求項５】
請求項１ないし請求項４のいずれかに記載の太陽電池付屋根において、前記第１樋部の底面は、前記太陽電池パネル上面と前記屋根面との間であって、かつ前記屋根面側に近接して設けられていることを特徴とする太陽電池付屋根。
【請求項６】
請求項１ないし請求項５のいずれかに記載の太陽電池付屋根において、前記太陽電池パネルは、全体略三角形状または全体略台形状で構成されていることを特徴とする太陽電池付屋根。
【発明の詳細な説明】
【０００１】
【発明の属する技術分野】
本発明は、太陽電池パネルの支持レールを備えた太陽電池付屋根に係り、屋根面に取り付けられて太陽電池パネルを支持する太陽電池パネルの支持レールを備えた太陽電池付屋根に関する。
【０００２】
【背景技術】
従来より、建物の屋根面に屋根葺材である複数の太陽電池パネルを縦横に配列して、太陽光を電力に変換する太陽電池付屋根を形成することが知られている。太陽電池パネルは、正方形や長方形の矩形状に形成されたものが一般的であり、屋根面の傾斜方向に沿って、屋根面に取り付けられた屋根面用支持レールに固定されている（特開平９−３２２０６号公報等参照）。太陽電池付屋根の形式としては、太陽電池パネルが通常矩形状であることから、屋根面の傾斜方向に沿って太陽電池パネルを配列しやすい矩形状の屋根面を有する屋根、すなわち切妻式の屋根が一般的である。
【０００３】
一方、屋根の形式として切妻式屋根を組み合わせた平面Ｌ字状の屋根がある。このような屋根には、傾斜方向の異なる一対の屋根面が交差して谷部が形成される。しかし、この谷部を形成する各屋根面は矩形状でないため、屋根面に矩形状太陽電池パネルを配列すると、谷部に沿って大きな余白部分が生じてしまう。そこで、受光面積を拡大して大きな発電力を確保するために、この余白部分にも太陽電池パネルを設置することが考えられる。具体的には、谷部に沿った斜辺を有する三角形状や台形状の太陽電池パネルを、当該余白部分に配列することが考えられる。また、より大きな電力を確保するためには、谷部を挟んだ両側に三角形状や台形状太陽電池パネルを配列することも考えられる。
【０００４】
【発明が解決しようとする課題】
ところが、従来の屋根面用支持レールは屋根面の傾斜方向に沿って配置されているので、三角形状や台形状太陽電池パネルを取り付けようとすると、谷部に沿った斜辺部分を支持することができず、それらの太陽電池パネルを屋根面に安定して固定できないという問題がある。
【０００５】
本発明の目的は、屋根の谷部において太陽電池パネルを確実に設置できて発電量を高めることができる太陽電池付屋根を提供することにある。
【０００６】
【課題を解決するための手段】
本発明の太陽電池パネルの支持レールは、後述する実施形態での符号を用いて説明すれば、複数の太陽電池パネル５，１００を備えた太陽電池付屋根４，１０６であって、前記太陽電池パネルは、支持レール６，９と他の支持レール７とで支持され、前記支持レールは、傾斜方向の異なる一対の屋根面４１，４２が交差して形成された谷部４Ｂ，１０７に沿って取り付けられる脚部６１，９１と、前記太陽電池パネルの前記谷部側の端縁を支持する支持部６２，９２とを備え、前記他の支持レールは、前記屋根面の傾斜方向に沿って設けられ、前記太陽電池パネルは、前記谷部に沿って前記支持部に固定される谷枠５２３，１０５と、前記他の支持レールに固定される傾斜枠５２１，１０３とを備え、前記支持レールは、上方に開口した第１樋部６３，９３を有し、前記他の支持レールは、上方に開口した第２樋部７３を有し、前記第１樋部の内面には、前記谷枠の脚部５２３Ａ，１０５Ａが固定され、前記第２樋部には、前記傾斜枠の脚部５２１Ａ，１０３Ａが固定され、前記第２樋部の下流側端部が前記第１樋部の内側に突出することで、前記第１樋部と前記第２樋部とが連通して設けられていることを特徴とするものである。
【０００７】
この発明によれば、谷部に沿って太陽電池パネルを配列する場合には、本発明の支持レールで太陽電池パネルの谷部に沿った端縁を支持し、従来の屋根面用支持レールで太陽電池パネルの他の端縁（屋根面の傾斜方向に沿った端縁）を支持することで、たとえば、全体略三角形状や台形状の太陽電池パネルを配列する。この際、谷部に沿って取り付けられる脚部により、谷部上に支持レールが安定した状態で設置される。また、支持レールに設けられた太陽電池パネルの端縁を支持する支持部により、谷部に沿って設置される、たとえば全体略三角形状や台形状の太陽電池パネルの斜辺部分が確実に支持される。従って、太陽電池パネルが谷部に沿って確実かつ隙間なく設置され、また、設置される太陽電池パネルが増えた分だけ、大きな発電量が得られる。
【０００８】
従来の支持レールは、屋根面の傾斜方向に沿って設置されるが、谷部に近い位置では、この支持レールの下流側が谷部と交差する位置にある。このため、従来の支持レールを伝って流れる雨水等が谷部に集中してしまう。
この発明によれば、前記支持レールの第１樋部に、従来の支持レール（他の支持レール）に設けられた第２樋部を連通させることで、第２樋部を流れる雨水等は第１樋部に合流して軒先まで導かれるから、谷部に集中する雨水等が良好に処理されるようになる。
【０００９】
さらに、前記他の支持レールが前記一対の屋根面の両方にそれぞれ設けられていることが望ましい。
このような場合、各屋根面に設置された従来の支持レールおよび本発明の支持レールを介して、谷部の両側に、たとえば三角形状や台形状太陽電池パネルを設置することで、従来よりも受光面積が増え、大きな発電力が得られる。
【００１０】
そして、前記他の支持レールが前記谷部を挟んで互いに対応した位置に対になって設けられていることが望ましい。
太陽電池パネルの設置位置、すなわち配列位置は、太陽電池パネルの端縁を支持する各支持レールの設置位置によって決定される。本発明では、従来の支持レールが谷部を挟んで互いに対応した位置に対になって設置されているから、太陽電池パネルの配列位置、具体的には、太陽電池パネルの目地等が谷部を挟んだ各屋根面間で揃えられ、屋根の外観が良好となる。
【００１１】
また、前記第１樋部の底面６３Ａは、前記太陽電池パネルの上面よりも低い高さ位置に位置していることが望ましい。
このような場合、雨水等を屋根の軒先まで導く第１樋部の底面が、太陽電池パネルの上面よりも低い高さ位置に設けられているから、太陽電池パネル表面を伝って谷部側へ流れる雨水等が第１樋部に確実に落ち、雨水等の処理がより良好になる。
【００１２】
さらに、前記第１樋部の底面は、前記太陽電池パネル上面と前記屋根面との間であって、かつ前記屋根面側に近接して設けられていることが好ましい。
このような場合、たとえば、第１樋部の底面の下面を屋根面に当接させて底面を最大限低い位置に設ければ、第１樋部が深くなるから第１樋部の容量を大きく形成でき、これにより、大雨の時でも雨水処理が良好となる。
【００１３】
また、前記太陽電池パネルは、全体略三角形状または全体略台形状で構成されていることが望ましい。
この発明によれば、谷部を挟んだ両側に三角形状や台形状太陽電池パネルを設置し、残り部分に矩形状太陽電池パネルを設置することで、屋根面の面積を有効に利用して、受光面積を増やすことができ、大きな発電量が得られる。
【００１４】
【発明の実施の形態】
以下、本発明の各実施形態を図面に基づいて説明する。
［第１実施形態］
図１には、本発明の第１実施形態に係る建物１が示されている。この建物１は、基礎２上に形成された建物本体３と、この建物本体３の上部に形成された屋根４とを備えている。このうち、建物本体３は、平面略Ｌ字状に形成されている。この建物本体３に対応して、屋根４は、切妻式の屋根が組み合わされて形成されている。具体的に、屋根４は、直角をなす２方向へ延びた水平な棟４Ａと、この棟４Ａの角部から入隅側および出隅側へ斜め下方に延びた谷部４Ｂおよび下り棟４Ｃとを有している。ここで、谷部４Ｂは、傾斜方向の異なる一対の屋根面４１，４２が交差して形成されている。下り棟４Ｃは、一対の屋根面４３，４４によって形成されている。
【００１５】
各屋根面４１，４２の谷部４Ｂに沿った部分には、太陽光を電力に変換する全体略三角形状の太陽電池パネル５が配列され、この三角形状太陽電池パネル５の谷部４Ｂ側の端縁は、谷部４Ｂに沿って延びた後述する本発明の支持レールとしての谷部用支持レール６に支持され、傾斜方向に沿った端縁は、各屋根面４１，４２の傾斜方向に沿って複数設置された従来の屋根面用支持レール７に支持されている。そして、この支持レール７を介して、各屋根面４１，４２の残りの部分には、傾斜方向および桁方向に沿って長方形状太陽電池パネル８が複数配列されている。これにより、屋根４は、各支持レール６，７を用いて各太陽電池パネル５，８が配列された太陽電池付屋根とされている。
【００１６】
三角形状太陽電池パネル５は、図２に示すように、太陽光を電力に変換する所定枚数のソーラーセル（図示せず）が収納された略三角形状のパネル体５１と、このパネル体５１の周縁を保持するフレーム５２とを備えている。このうち、フレーム５２は、各屋根面４１，４２の傾斜方向および桁方向に沿った傾斜枠５２１および桁枠５２２と、谷部４Ｂに沿った谷枠５２３とを有している。これら傾斜枠５２１、桁枠５２２および谷枠５２３には、図示は省略するが、それぞれ断面コ字状の溝が形成され、各溝にパネル体５１の端縁が嵌合保持されている。これにより、太陽電池パネル５全体の防水および補強がなされ、パネル体５１のソーラーセルが雨水による漏電や短絡等の事故および太陽電池パネル５の表面に加わる加重等から保護されている。
また、傾斜枠５２１および谷枠５２３には、それぞれ下方に突出した断面Ｌ字状の脚部５２１Ａ，５２３Ａが形成されている。傾斜枠５２１の脚部５２１Ａは屋根面用支持レール７を介して、谷枠５２３の脚部５２３Ａは谷部用支持レール６を介して各屋根面４１，４２に取り付けられる。
なお、長方形状太陽電池パネル８は、図示は省略するが三角形状太陽電池パネル５と同様に、パネル体およびフレームを有し、各屋根面４１，４２の傾斜方向に沿ったフレームの脚部および屋根面用支持レール７を介して、各屋根面４１，４２に取り付けられている（図１参照）。
【００１７】
谷部用支持レール６は、図２および図３に示すように、谷部４Ｂに沿って取り付けられる脚部６１と、三角形状太陽電池パネル５の谷枠５２３の脚部５２３Ａを支持する支持部６２とを一体に備えている。
脚部６１は、各屋根面４１，４２に跨って当接されてビス等で固定される断面略Ｖ字状の当接部６１１と、この当接部６１１上面から立ち上がって形成されかつ上部に支持部６２が設けられる二条の立上部６１２とを備えている。このうち、当接部６１１の上面には、支持部６２の外側に対応した位置に、谷部４Ｂに沿って延びた突条部６１３が形成されている。この突条部６１３は、各屋根面４１，４２側にそれぞれ設けられ、万一、後述する第１樋部６３から雨水等があふれたとしても各屋根面４１，４２側へ流れるのを防止する、二次的な樋として機能している。
【００１８】
支持部６２は、立上部６１２の上部に位置した中空状のレール部６２Ａを有し、このレール部６２Ａの長手方向に沿った側面が上方へ突出した状態に形成されている。つまり、支持部６２の上面は上方に開口した溝となっており、これにより、谷部用支持レール６の第１樋部６３が形成されている。この第１樋部６３の底面６３Ａは、各屋根面４１，４２に対応して断面略Ｖ字状に形成され、各三角形状太陽電池パネル５の谷枠５２３の脚部５２３Ａが載置されるようになっている。そして、この状態で脚部５２３Ａが第１樋部６３の底面６３Ａ、すなわち、中空状のレール部６２Ａ上面にビス等で固定されている。これにより、三角形状太陽電池パネル５が各屋根面４１，４２と平行に設置されることとなる。ここで、第１樋部６３の底面６３Ａは、太陽電池パネル５上面よりも低い高さ位置に位置している。
【００１９】
屋根面用支持レール７は、図２に示すように、各屋根面４１，４２の傾斜方向に沿って取り付けられる脚部７１と、この脚部７１の上部に設けられかつ三角形状太陽電池パネル５の傾斜枠５２１の脚部５２１Ａが固定される支持部７２とを備えている。支持部７２の上面は、谷部用支持レール６の支持部６２と同様に、上方に開口した溝となっており、これにより、屋根面用支持レール７の第２樋部７３が形成されている。第２樋部７３の底面は、第１樋部６３と異なって、設置される屋根面４１，４２と平行かつ平坦に形成されている。
【００２０】
図１および図２において、屋根面用支持レール７のうち、谷部４Ｂ付近に設置された屋根面用支持レール７Ａ、すなわち、谷部用支持レール６とともに三角形状太陽電池パネル５を支持する屋根面用支持レール７Ａの第２樋部７３下流側は、谷部用支持レール６の第１樋部６３に連通されている。本実施形態では、屋根面用支持レール７Ａが、谷部４Ｂを挟んで互いに対応した位置に対になって設けられている。このように谷部４Ｂを挟んで設置された各一対の屋根面用支持レール７Ａの第２樋部７３は、谷部用支持レール６の長手方向の同一位置において、それぞれ谷部用支持レール６の第１樋部６３に両側から連通している。これにより、屋根面用支持レール７Ａに支持される三角形状および長方形状太陽電池パネル５，８の配列位置が、各屋根面４１，４２間で揃えられている。
なお、第１樋部６３と第２樋部７３との連通は、たとえば、第１樋部６３の側面上部に第２樋部７３に対応した溝を切り欠いて形成し、この溝に第２樋部７３の下流側を若干第１樋部６３内に突出した状態で位置させることで行えばよく、この突出量をある程度調節することで、屋根面用支持レール７の長手方向の取り付け位置のずれを吸収できるようになっている。
【００２１】
本実施形態では、このような谷部用支持レール６を用いて、以下のようにして屋根４に各太陽電池パネル５，８を配列する。
まず、谷部４Ｂに沿って谷部用支持レール６を、各屋根面４１，４２の傾斜方向に沿って屋根面用支持レール７を設置する。この際、谷部４Ｂ付近に配置する屋根面用支持レール７Ａの下流側を、谷部用支持レール６に接続して、第１および第２樋部６３，７３を互いに連通させる。次に、谷部４Ｂを挟んだ両側に、三角形状太陽電池パネル５を配列していき、屋根面４１，４２の残りの部分には、長方形状太陽電池パネル８を配列する。そして、必要に応じて、屋根４の棟４Ａに沿って笠木等を設置する。
【００２２】
上述のような本実施形態によれば、次のような効果がある。
（１）谷部用支持レール６は、各屋根面４１，４２で形成された谷部４Ｂに沿って取り付けられる脚部６１と、三角形状太陽電池パネル５の谷枠５２３の脚部５２３Ａを支持する支持部６２とを備えているから、谷部４Ｂ上に谷部用支持レール６を安定した状態で設置でき、かつ、谷部４Ｂに沿って設置される三角形状太陽電池パネル５を確実に支持できる。従って、三角形状太陽電池パネル５を谷部４Ｂに沿って確実かつ隙間なく設置でき、また、設置される三角形状太陽電池パネル５が増えた分だけ、大きな発電量を得ることができる。
【００２３】
（２）谷部用支持レール６の第１樋部６３には屋根面用支持レール７Ａの第２樋部７３の下流側が連通されているため、第２樋部７３を伝って谷部４Ｂ側へ流れる雨水等を第１樋部６３に合流させて屋根４の軒先まで導くことができる。従って、第２樋部７３の雨水等を軒先まで導く樋用部材等を別個に設けなくとも、屋根４の雨水等を良好に処理できる。
【００２４】
（３）各屋根面４１，４２に設置された屋根面用支持レール７および谷部用支持レール６を介して、谷部４Ｂの両側に三角形状太陽電池パネル５が設置されているから、従来よりも受光面積を増やすことができ、大きな発電力が得ることができる。
【００２５】
（４）屋根面用支持レール７Ａは谷部４Ｂを挟んで互いに対応した位置に対になって設置されているから、これらの支持レール７Ａに取り付けられる各太陽電池パネル５，８の配列位置、具体的には、太陽電池パネル５，８の目地等を谷部４Ｂを挟んだ各屋根面４１，４２間で揃えることができ、さらに、屋根面用支持レール７Ａに合わせて他の屋根面用支持レール７を設置すれば、屋根４の外観を良好にできる。
【００２６】
（５）谷部用支持レール６において、雨水等を屋根４の軒先まで導く第１樋部６３の底面６３Ａが、三角形状太陽電池パネル５の上面よりも低い高さ位置に設けられているから、三角形状太陽電池パネル５表面を伝って雨水等が谷部４Ｂ側へ流れても第１樋部６３に確実に落下させることができ、雨水等の処理をより良好にできる。
【００２７】
（６）谷部用支持レール６において、当接部６１１の上面には、支持部６２の外側に対応した位置に、谷部４Ｂに沿って延びた突条部６１３が形成され、この突条部６１３で二次的な樋が形成されているため、万一、第１樋部６３から雨水等があふれたとしても各屋根面４１，４２側へ流れることを防止でき、屋根４の防水性能を高めることができる。
【００２８】
（７）谷部用支持レール６において、支持部６２は中空状のレール部６２Ａを有し、この上面（第１樋部６３の底面６３Ａ）に三角形状太陽電池パネル５の脚部５２３Ａがビス等で固定されている。このため、万一、この固定部位から雨水等が内部に入り込んだとしても、雨水等はレール部６２Ａの内部を通って屋根４の軒先まで導かれるから、屋根４の防水性能をより高めることができる。
【００２９】
［第２実施形態］
図４には、本実施形態に係る本発明の支持レールとしての谷部用支持レール９が示されている。ここにおいて、本実施形態と前述の第１実施形態とは、脚部および支持部の形状が若干異なるのみで、その他の構成は同一であるから、同一符号を付してそれらの説明は省略する。
【００３０】
谷部用支持レール９は、谷部４Ｂに沿って取り付けられる脚部９１と、三角形状太陽電池パネル５の脚部５２３Ａを支持する支持部９２とを一体に備えている。このうち、脚部９１は、前述した第１実施形態の当接部６１１および突条部６１３を有している。
支持部９２は、当接部６１１上面から立ち上がって形成されかつ谷部４Ｂに沿って延びた二条の立上部９２１を有している。この立上部９２１の上下方向の途中には、立上部９２１が外側に折曲されることで、各屋根面４１，４２と平行な傾斜面９２１Ａが形成されている。各傾斜面９２１Ａには各三角形状太陽電池パネル５の脚部５２３Ａがビス等で固定され、三角形状太陽電池パネル５が各屋根面４１，４２と平行に設置されている。
【００３１】
ここで、当接部６１１の上面および一対の立上部９２１により上方へ開口した溝が形成され、これにより、谷部用支持レール９の第１樋部９３が形成されている。つまり、当接部６１１の上面が第１樋部９３の底面となっており、この第１樋部９３の底面は、太陽電池パネル５と屋根面４１，４２との間の屋根面４１，４２側に近接した位置に設けられることとなる。
【００３２】
上述のような本実施形態によれば、谷部用支持レール９は、谷部４Ｂに沿って取り付けられる脚部９１と、三角形状太陽電池パネル５の脚部５２３Ａを支持する支持部９２とを備えているから、谷部４Ｂ上に谷部用支持レール９を安定した状態で設置でき、かつ、谷部４Ｂに沿って設置される太陽電池パネル５を確実に支持できる。また、三角形状太陽電池パネル５が谷部４Ｂに沿って確実に設置されるから、設置される三角形状太陽電池パネル５が増えた分だけ、大きな発電量を得ることができ、前述の第１実施形態の効果（１）と同様な効果を得ることができる。また、他の同様な構成により、前述の第１実施形態の効果（２）〜（６）と同様な効果を得ることができる。
さらに、これらの効果（１）〜（６）に加えて、次のような効果がある。
【００３３】
（８）第１樋部９３の底面は当接部６１１の上面を利用して形成されているから、第１樋部９３を前述の第１実施形態の第１樋部６３よりも深く形成できる。つまり、第１樋部９３の容量が大きく形成されているから、大雨の時でも雨水等の処理を良好にできる。
【００３４】
なお、本発明は前記各実施形態に限定されるものではなく、本発明の目的を達成できる範囲での変形、改良は、本発明に含まれるものである。
たとえば、第１実施形態では、屋根面用支持レール７Ａは、谷部４Ｂを挟んで互いに対応した位置に対になって設けられているが、対応した位置に設けられなくてもよい。しかしながら、屋根面用支持レールが谷部を挟んで互いに対応した位置に対になって設けられていれば、これらの支持レールに取り付けられる各太陽電池パネルの配列位置を屋根面間で揃えることができ、屋根の外観を良好にできる。
【００３５】
第１実施形態では、各屋根面４１，４２に各太陽電池パネル５，８を設置しているが、たとえば、屋根面４１または屋根面４２だけに太陽電池パネルを設置してもよく、あるいは屋根面４１〜４４全てに太陽電池パネルを設置してもよい。
【００３６】
前記各実施形態において、谷部用支持レール６，９は、第１樋部６３，９３を有しているが、本発明に係る支持レールはこれに限定されるものではなく、第１樋部を特に有しなくともよく、要するに、傾斜方向の異なる一対の屋根面が交差して形成された谷部に沿って取り付けられる脚部と、太陽電池パネルの谷部側の端縁を支持する支持部とを備えていればよい。
【００３７】
前記各実施形態では、脚部６１，９１の当接部６１１が断面略Ｖ字状に形成されているが、たとえば、図５に示すような当接部１１１を備えた支持レール１１０であってもよい。具体的には、支持レール１１０は、各屋根面４１，４２に沿ってそれぞれ当接されてビス等で固定される２つの当接部１１１を備えており、これら当接部１１１は、断面略Ｌ字状に形成されている。このような場合、たとえば、屋根面４１，４２の交差角度と各当接部１１１の交差角度とが多少ずれていても、２つの当接部１１１が別々に形成されているから、各当接部１１１を多少変形させることでこれらをそれぞれの屋根面４１，４２に対応して確実に取り付けることができ、支持レール１１０を屋根面４１，４２に密着させた状態で取り付けることができる。従って、屋根面４１，４２の交差角度の誤差を当接部１１１を変形させることで吸収したり、また、交差角度の多少異なる別の一対の屋根面にも同一の支持レール１１０を対応させることができる。
【００３８】
前記各実施形態では、谷部４Ｂに沿って三角形状太陽電池パネル５が設置されているが、たとえば、三角形状太陽電池パネルに代えて、図６に示すような台形状太陽電池パネル１００を設置してもよい。具体的に、台形状太陽電池パネル１００は、三角形状太陽電池パネル５と同様に、パネル体１０１およびフレーム１０２を有している。このうち、フレーム１０２は、屋根面の傾斜方向および桁方向に沿った傾斜枠１０３および２つの桁枠１０４（台形の上底と下底）と、谷部に沿った谷枠１０５とを有している。そして、傾斜枠１０３および谷枠１０５に形成された各脚部１０３Ａ，１０５Ａを各支持レール６，７（図２）に固定することで、台形状太陽電池パネル１００を谷部に沿って設置してもよい。
【００３９】
前記各実施形態では、切妻式の屋根を組み合わせた屋根４の谷部４Ｂに、谷部用支持レール６，９を設置しているが、たとえば、図７に示すような寄棟式の屋根を組み合わせた屋根１０６の谷部１０７に、谷部用支持レール６，９を設置してもよく、要するに、本発明の支持レールは、傾斜方向の異なる一対の屋根面が交差して形成した谷部に沿って取り付けられればよい。
【００４０】
【発明の効果】
本発明によれば、以下のような効果がある。
すなわち、請求項１に記載の発明によれば、各屋根面で形成された谷部に沿って取り付けられる脚部により、谷部上に支持レールを安定した状態で設置でき、かつ、支持レールに設けられた太陽電池パネルの端縁を支持する支持部により、谷部に沿って設置される太陽電池パネルの端縁を確実に支持できる。従って、太陽電池パネルを谷部に沿って確実かつ隙間なく設置でき、また、設置される太陽電池パネルが増えた分だけ、大きな発電量を得ることができるという効果がある。
【００４１】
また、請求項１に記載の発明によれば、本発明の支持レールの第１樋部に、従来の支持レールに設けられた第２樋部を連通させることで、第２樋部を伝って谷部側へ流れる雨水等を第１樋部に合流させて軒先まで導くことができるから、樋用部材等を別個に設けなくとも、谷部に集中する雨水等を良好に処理できるという効果がある。
【００４２】
請求項２に記載の発明によれば、各屋根面に設置された従来の支持レールおよび本発明の支持レールを介して、谷部の両側に、たとえば三角形状や台形状太陽電池パネルを設置すれば、従来よりも受光面積を増やすことができ、大きな発電量を得ることができるという効果がある。
【００４３】
請求項３に記載の発明によれば、従来の支持レールが谷部を挟んで互いに対応した位置に対になって設置されているから、これらの支持レールに取り付けられる太陽電池パネルの配列位置、具体的には、太陽電池パネルの目地等を谷部を挟んだ各屋根面間で揃えることができ、屋根の外観を良好にできるという効果がある。
【００４４】
請求項４に記載の発明によれば、雨水等を屋根の軒先まで導く第１樋部の底面が、太陽電池パネルの上面よりも低い高さ位置に設けられているから、太陽電池パネル表面を伝って谷部側へ流れる雨水等が第１樋部に確実に落ち、雨水等の処理をより良好にできるという効果がある。
【００４５】
請求項５に記載の発明によれば、たとえば、第１樋部の下面を屋根面に当接させて底面を最大限低い位置に設ければ、第１樋部が深くなるから第１樋部の容量を大きく形成でき、これにより、大雨の時でも雨水処理を良好にできるという効果がある。
【００４６】
請求項６に記載の発明によれば、谷部を挟んだ両側に三角形状や台形状太陽電池パネルを設置し、残り部分に矩形状太陽電池パネルを設置することで、屋根面の面積を有効に利用して、受光面積を増やすことができ、大きな発電量を得ることができるという効果がある。
【図面の簡単な説明】
【図１】本発明の第１実施形態に係る建物を示す全体斜視図である。
【図２】前記実施形態に係る各支持レールおよび三角形状太陽電池パネルを示す斜視図である。
【図３】前記実施形態の要部を示す拡大断面図である。
【図４】本発明の第２実施形態を示す断面図である。
【図５】本発明の変形例（支持レール）を示す断面図である。
【図６】本発明の他の変形例を示す斜視図である。
【図７】本発明のさらに他の変形例を模式的に示す斜視図である。
【符号の説明】
４  太陽電池付屋根である屋根
４Ｂ  谷部
５  太陽電池パネルである三角形状太陽電池パネル
６，９  支持レールである谷部用支持レール
７Ａ  他の支持レールである屋根面用支持レール
４１，４２  屋根面
６１，９１  脚部
６２，９２  支持部
６３，９３  第１樋部
７３  第２樋部
【図１】
0004469449.tif 000002
【図２】
0004469449.tif 000003
【図３】
0004469449.tif 000004
【図４】
0004469449.tif 000005
【図５】
0004469449.tif 000006
【図６】
0004469449.tif 000007
【図７】
0004469449.tif 000008